(57)【要約】【課題】ソーシャルネットワーク等のネットワークにより結びついたユーザと容易に共同作業を行って作品の作成を行えるようにする。【解決手段】複数の部分からなる創作物のひな形データを主ユーザの端末装置に提供する提供手段と、前記主ユーザの端末装置から、前記創作物の部分を単位に前記主ユーザ以外のユーザへの作成依頼を受け付ける受付手段と、管理する全ユーザの中から所定のユーザに対して作成依頼を行う依頼手段と、作成依頼に応答して創作された前記創作物の部分を前記主ユーザの端末装置に送信する送信手段とを備える。【選択図】図１
2015005133.tif 000002
【特許請求の範囲】
【請求項１】
複数の部分からなる創作物のひな形データを主ユーザの端末装置に提供する提供手段と、
前記主ユーザの端末装置から、前記創作物の部分を単位に前記主ユーザ以外のユーザへの作成依頼を受け付ける受付手段と、
管理する全ユーザの中から所定のユーザに対して作成依頼を行う依頼手段と、
作成依頼に応答して創作された前記創作物の部分を前記主ユーザの端末装置に送信する送信手段と
を備えたことを特徴とする作品作成支援装置。
【請求項２】
請求項１に記載の作品作成支援装置において、
前記受付手段は、作成依頼時に、電子掲示板に作成依頼を掲載して作成を引き受けるユーザを募るか、ランダムに選択したユーザに作成依頼を通知するか、依頼元の主ユーザが指定した友達のユーザに作成依頼を通知するかのいずれかの指示を受け付け、
前記依頼手段は、前記指示に基づいて作成依頼を行う
ことを特徴とする作品作成支援装置。
【請求項３】
請求項１または２のいずれか一項に記載の作品作成支援装置において、
前記端末装置から、完成された前記創作物を当該作品作成支援装置の管理下の電子掲示板に閲覧可能に掲載する要求を受け付けて掲載を行う掲載手段
を備えたことを特徴とする作品作成支援装置。
【請求項４】
請求項３に記載の作品作成支援装置において、
前記電子掲示板に掲載された前記創作物について評価を受け付ける評価受付手段と、
評価が所定値に達したことを条件に、前記端末装置から、完成された前記創作物を不特定多数のユーザが閲覧可能な共有サイトに投稿する要求を受け付けて投稿を行う投稿手段と
を備えたことを特徴とする作品作成支援装置。
【請求項５】
作品作成端末装置を構成するコンピュータを、
複数の部分からなる創作物のひな形データに基づいて創作物の作成を受け付ける作成受付手段、
前記創作物の部分を単位に他のユーザへの作成依頼を受け付ける依頼受付手段、
作成依頼に応答して創作された前記創作物の部分を取得する取得手段
として機能させる作品作成端末装置用プログラム。
【請求項６】
請求項５に記載の作品作成端末装置用プログラムにおいて、
前記コンピュータを、更に、
作成依頼に応答して創作された前記創作物の部分の採否を受け付ける採否受付手段
として機能させる作品作成端末装置用プログラム。
【発明の詳細な説明】
【技術分野】
【０００１】
本発明は、句、文章、音楽等の作品（創作物）の作成を支援する技術に関する。
【背景技術】
【０００２】
従来からオーサリングツールと呼ばれるアプリケーションソフトウェア（オーサリングプログラム）が知られており、このようなオーサリングツールを用いて文章や音楽等の作品の作成が行われている。
【０００３】
ユーザによっては、作品を複数のユーザの共同作業によって作成したいという要望もあり、例えば、メールを回覧して連歌を作る技術が提案されている（特許文献１等を参照。）。
【先行技術文献】
【特許文献】
【０００４】
【特許文献１】特開２００２−２９２１４５号公報
【発明の概要】
【発明が解決しようとする課題】
【０００５】
特許文献１に記載される技術は、複数のユーザによって、順次、メールに本文またはデータを追加することで連歌を作成していくものであるが、基本的にメールを用いるものであるため、限られた範囲のユーザとしか共同作業を行うことができないという問題があった。
【０００６】
本発明は上記の従来の問題点に鑑み提案されたものであり、その目的とするところは、ソーシャルネットワーク等のネットワークにより結びついたユーザと容易に共同作業を行って作品の作成を行えるようにすることにある。
【課題を解決するための手段】
【０００７】
上記の課題を解決するため、本発明にあっては、複数の部分からなる創作物のひな形データを主ユーザの端末装置に提供する提供手段と、前記主ユーザの端末装置から、前記創作物の部分を単位に前記主ユーザ以外のユーザへの作成依頼を受け付ける受付手段と、管理する全ユーザの中から所定のユーザに対して作成依頼を行う依頼手段と、作成依頼に応答して創作された前記創作物の部分を前記主ユーザの端末装置に送信する送信手段とを備えるようにしている。
【発明の効果】
【０００８】
本発明にあっては、ソーシャルネットワーク等のネットワークにより結びついたユーザと容易に共同作業を行って作品の作成を行うことができる。
【図面の簡単な説明】
【０００９】
【図１】本発明の一実施形態にかかるシステムの構成例を示す図である。
【図２】各種データベースのデータ構造例を示す図である。
【図３】端末装置のハードウェア構成例を示す図である。
【図４】作品作成支援サーバ装置のハードウェア構成例を示す図である。
【図５】実施形態の処理例を示すシーケンス図（その１）である。
【図６】テーマの選択を行う画面の例を示す図である。
【図７】句の入力を行う画面の例を示す図である。
【図８】編集アイテムの例を示す図である。
【図９】写真撮影の例を示す図である。
【図１０】完成作品歌唱時の画面の例を示す図である。
【図１１】実施形態の処理例を示すシーケンス図（その２）である。
【図１２】新規テーマの作成を行う画面の例を示す図である。
【図１３】音階の入力の様子の例を示す図である。
【図１４】実施形態の処理例を示すシーケンス図（その３）である。
【発明を実施するための形態】
【００１０】
以下、本発明の好適な実施形態につき説明する。
【００１１】
＜構成＞
図１は本発明の一実施形態にかかるシステムの構成例を示す図である。なお、作品（創作物）として、音階を伴った複数の句により構成される歌を例に説明するが、これに限られない。
【００１２】
図１において、システムは、インターネット等のネットワーク１を介して接続された、ユーザ（プレイヤ）が操作するスマートフォン、携帯電話、携帯ゲーム機、ＰＣ（Personal Computer）等の複数の端末装置２（２Ａ、２Ｂ、・・）と、作品の作成を支援する作品作成支援サーバ装置３と、動画のアップロードを受け付けて閲覧を可能とする動画共有サーバ装置４とを備えている。作品作成支援サーバ装置３は、端末装置２のユーザに対してソーシャルネットワークサービスを提供する。
【００１３】
端末装置２は、専用アプリケーション（アプリケーションプログラム）２０１により実現される機能部である、キャラクタイベント部２０２、テーマリスト表示・選択部２０３、句入力・編集部２０４、句作成依頼部２０５、依頼成果物採否部２０６、完成作品歌唱部２０７、完成作品披露部２０８、完成作品投稿部２０９、テーマ作成部２１０、詠ポイント管理部２１１、詠人ランク管理部２１２、フクビキ部２１３、アイテム管理部２１４を備えている。なお、専用アプリケーション２０１に代えて、汎用ブラウザ（Ｗｅｂブラウザ）により各機能部を構成するようにしてもよい。この場合、作品作成支援サーバ装置３から端末装置２に提供するページデータに含まれるスクリプト等の実行により各機能部が実現される。
【００１４】
キャラクタイベント部２０２は、端末装置２のユーザとの間でキャラクタ（例えば、女子高生キャラクタ）によるコミュニケーションを行ない、歌の作成の誘いを行ったり、キャラクタの写真撮影を可能としたりする機能を有している。
【００１５】
テーマリスト表示・選択部２０３は、既存のテーマ（歌のひな形）から歌を作成する場合に、選択可能な歌のテーマのリストを表示し、ユーザによる選択を可能とする機能を有している。
【００１６】
句入力・編集部２０４は、テーマリスト表示・選択部２０３により選択されたテーマの歌を構成する句に対する文字列の入力を受け付けるとともに、歌い方の編集を行ったり、歌の進行に同期させた写真の貼り付けを受け付けたりする機能を有している。
【００１７】
句作成依頼部２０５は、続きの句について、同じユーザが自ら句の入力を行わないで他のユーザに句の作成を依頼する場合に、ユーザから依頼を受け付け、作品作成支援サーバ装置３に対して依頼要求を行うとともに、自側が作成依頼を引き受ける場合にも必要な処理を行う機能を有している。
【００１８】
作成依頼の手法としては、
・電子掲示板に掲載して作成を引き受けるユーザを募る手法
・ランダムに選択したユーザに作成依頼を通知する手法
・依頼元のユーザが指定した友達のユーザに作成依頼を通知する手法
が選択できる。
【００１９】
作成依頼中は、依頼元のユーザもその句の作成を行うことはできない。作成依頼から所定時間経過しても作成の引き受けが行われない場合や、作成の引き受けが行われても作成が行われない場合は、再び依頼元のユーザによる作成や新たな作成依頼が可能となる。
【００２０】
また、歌（作品）の特定部分（最初の句、最後の句等）は必ずテーマを選択した主ユーザが作成しなければならないようにすることで、作品の出来具合の管理が容易になる。
【００２１】
また、同時に複数のユーザに対して同じ句や異なる句の作成依頼を行えるようにしてもよい。
【００２２】
依頼成果物採否部２０６は、依頼に基づいて他のユーザが作成した句について、依頼元のユーザから採用するか否かを受け付ける機能を有している。依頼元のユーザが採否を決められるようにすることで、不特定のユーザが句を作成した場合でも、作品のでき上がりを納得のできるものにすることができる。
【００２３】
完成作品歌唱部２０７は、歌を構成する全ての句の入力が完了することにより完成した歌を、音声合成技術（例えば、ヤマハ社のＶＯＣＡＬＯＩＤ等）により、キャラクタにより仮想的に歌唱させ、その映像・音声を出力する機能を有している。その映像・音声は動画ファイルとして出力することもできる。
【００２４】
完成作品披露部２０８は、完成した歌を同じアプリケーション（専用アプリケーション２０１）を使用する全ユーザが閲覧可能な電子掲示板、すなわち、作品作成支援サーバ装置３の管理下にあるソーシャルネットワークサービスの一環としての電子掲示板に掲載する指示をユーザから受け付け、作品作成支援サーバ装置３に対して披露要求を行う機能を有している。
【００２５】
完成作品投稿部２０９は、完成した歌を不特定多数のユーザが閲覧可能な動画共有サイトに投稿する指示をユーザから受け付け、作品作成支援サーバ装置３に対して動画共有サーバ装置４への投稿要求を行う機能を有している。完成作品の投稿要求を行うには、披露に対する評価が所定値以上になると取得できる投稿チケットを有していることが条件となっている。投稿チケットは、作品単位ではなくユーザ単位に取得できるものである。
【００２６】
テーマ作成部２１０は、ユーザオリジナルテーマの歌の作成指示をユーザから受け付けてテーマを作成し、作品作成支援サーバ装置３に登録要求を行う機能を有している。
【００２７】
詠ポイント管理部２１１は、端末装置２のユーザに詠ポイントを付与する機能を有している。詠ポイントは、歌の完成時、依頼引受時、完成作品投稿時等に付与される。詠ポイント管理部２１１は、管理する詠ポイントを作品作成支援サーバ装置３側と適宜に同期する。
【００２８】
詠人ランク管理部２１２は、端末装置２のユーザの詠人ランクを管理する機能を有している。詠人ランクは、詠ポイントが所定値以上たまることでランクアップする。詠人ランク管理部２１２は、管理する詠人ランクを作品作成支援サーバ装置３側と適宜に同期する。
【００２９】
フクビキ部２１３は、詠ポイントが所定値以上たまることで交換できるフクビキ券によるフクビキの実行を管理する機能を有している。
【００３０】
アイテム管理部２１４は、端末装置２のユーザの保有するアイテム（白短冊、赤短冊、編集アイテム、フクビキ券、キャラ衣装、キャラポーズ・表情等）を管理する機能を有している。アイテム管理部２１４は、管理するアイテムを作品作成支援サーバ装置３側と適宜に同期する。
【００３１】
白短冊は、既存の句に入力する場合（自己選択の場合と依頼による場合との両方）の代価として用いられ、使用により消費する。赤短冊は、ユーザオリジナルテーマを作成する場合の代価として用いられ、使用により消費する。白短冊と赤短冊は作品作成支援サーバ装置３からマニーポイント等を用いて購入できるほか、白短冊については、例えば２４時間毎に１枚（残数が最大３枚以内の場合に限る）が無償で付与される。
【００３２】
編集アイテムは、句に対して歌い方の編集を行う場合に用いられ、使用により消費する。フクビキ券は、フクビキの実行に用いられ、使用により消費する。キャラ衣装は、キャラクタに衣装を着せる場合に用いられる。キャラポーズ・表情は、キャラクタに所定のポーズや表情をとらせる場合に用いられる。編集アイテムは、作品作成支援サーバ装置３からマニーポイント等を用いて購入することができる。
【００３３】
作品作成支援サーバ装置３は、機能部として、ユーザ管理部３１、アイテム発行部３２、詠ポイント付与部３３、テーマ管理部３４、作成依頼管理部３５、完成作品管理部３６、完成作品投稿部３７を備えている。これらの機能部は、作品作成支援サーバ装置３を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。また、これらの機能部は、単一のコンピュータ上に配置される必要はなく、必要に応じて分散される形態であってもよい。
【００３４】
また、処理の過程で参照・更新されるデータを格納するデータベースとして、ユーザＤＢ３０１、テーマＤＢ３０２、作品ＤＢ３０３が設けられている。これらのデータベースは、作品作成支援サーバ装置３内のＨＤＤ（Hard Disk Drive）等の記憶媒体上の記憶領域に所定のデータを体系的に保持するものである。また、これらのデータベースは、単一のコンピュータ上に配置される必要はなく、必要に応じて分散される形態であってもよい。
【００３５】
図２は各種データベースのデータ構造例を示す図である。
【００３６】
ユーザＤＢ３０１は、「ユーザＩＤ」「表示名」「詠人ランク」「詠ポイント」「保有アイテム」「依頼状況」等の項目（フィールド）を有している。「ユーザＩＤ」は、ユーザを識別する情報である。ユーザ登録を強制しない場合は、専用アプリケーション２０１を識別するアプリＩＤを代用してもよい。「表示名」は、画面上に当該ユーザを表示する場合の名前の情報である。「詠人ランク」は、当該ユーザのランクの情報である。「詠ポイント」は、当該ユーザの保有するポイントの情報である。「保有アイテム」は、当該ユーザの保有するアイテムを示す情報である。「依頼状況」は、句の作成を他のユーザに依頼している場合の、依頼内容の情報である。
【００３７】
テーマＤＢ３０２は、「テーマＩＤ」「表示ランク」「テーマタイトル」「コンセプト」「句数、テンポ、拍子」「句毎の文字数、固定文字列、音階」等の項目を有している。「テーマＩＤ」は、テーマを識別する情報である。「表示ランク」は、当該テーマを表示するユーザの詠人ランクを示す情報である。例えば、「○○ランク以上」の場合、○○ランク以上のユーザにのみそのテーマが表示されて選択可能となる。「テーマタイトル」は、当該テーマを簡潔に示す文字列である。「コンセプト」は、当該テーマの歌を作成する場合の方針を示す情報である。「句数、テンポ、拍子」は、当該テーマの歌を構成する句の数、歌唱時のテンポ、拍子の情報である。「句毎の文字数、固定文字列、音階」は、句毎の文字数（例えば、５文字・７文字・５文字）、予め設定されていて変更できない固定の文字列、歌唱する場合の音程の情報である。
【００３８】
作品ＤＢ３０３は、「作品ＩＤ」「作成者ＩＤ」「テーマタイトル」「句毎の文字列、音階」「編集内容」「貼付写真」等の項目を有している。「作品ＩＤ」は、作品を識別する情報である。「作成者ＩＤ」は、作成者のユーザを識別する情報である。句毎に作成者が異なる場合もある。ユーザオリジナルテーマの場合は、元のテーマを作成したユーザＩＤも含む。「テーマタイトル」は、当該テーマを簡潔に示す文字列である。「句毎の文字列、音階」は、句毎に入力あるいは予め設定された文字列と音階を示す情報である。「編集内容」は、歌もしくは句の全体またはタイムラインに沿って設定された編集内容を示す情報である。「貼付写真」は、歌もしくは句の全体またはタイムラインに沿って貼り付けられた写真へのリンクを示す情報である。
【００３９】
図１に戻り、作品作成支援サーバ装置３のユーザ管理部３１は、ユーザ情報をユーザＤＢ３０１に保持して管理する機能を有している。
【００４０】
アイテム発行部３２は、ユーザへのアイテムの発行を管理する機能を有している。例えば、マニーポイント等を対価としてアイテムを発行する。アイテムの発行はユーザＤＢ３０１にも記録する。
【００４１】
詠ポイント付与部３３は、ユーザへの詠ポイントの付与を管理する機能を有している。詠ポイントの付与はユーザＤＢ３０１にも記録する。
【００４２】
テーマ管理部３４は、テーマをテーマＤＢ３０２に保持して管理する機能を有している。テーマには、予めサービス提供側が作成したものと、ユーザが新規に作成したものとが含まれる。
【００４３】
作成依頼管理部３５は、一のユーザから句の作成依頼が行われた場合に、他のユーザに対して作成依頼を行う機能を有している。
【００４４】
完成作品管理部３６は、完成された作品を作品ＤＢ３０３に保持して管理する機能を有している。
【００４５】
完成作品投稿部３７は、ユーザからの指示に基づいて、完成した作品を動画共有サーバ装置４に投稿する処理を行う機能を有している。
【００４６】
図３は端末装置２（２Ａ、２Ｂ）のハードウェア構成例を示す図である。
【００４７】
図３において、端末装置２は、電源システム２００１と、プロセッサ２００３、メモリコントローラ２００４、周辺インタフェース２００５を含むメインシステム２００２と、記憶部２００６と、外部ポート２００７と、高周波回路２００８と、アンテナ２００９と、オーディオ回路２０１０と、スピーカ２０１１と、マイク２０１２と、近接センサ２０１３と、ＧＰＳ（Global Positioning System）回路２０１４と、ディスプレイコントローラ２０１６、光学センサコントローラ２０１７、入力コントローラ２０１８を含むＩ／Ｏ（Input/Output）サブシステム２０１５と、タッチ反応型ディスプレイシステム２０１９と、光学センサ２０２０と、入力部２０２１とを備えている。
【００４８】
図４は作品作成支援サーバ装置３のハードウェア構成例を示す図である。
【００４９】
図４において、作品作成支援サーバ装置３は、システムバス３００１に接続されたＣＰＵ（Central Processing Unit）３００２、ＲＯＭ（Read Only Memory）３００３、ＲＡＭ（Random Access Memory）３００４、ＮＶＲＡＭ（Non-Volatile Random Access Memory）３００５、Ｉ／Ｆ（Interface）３００６と、Ｉ／Ｆ３００６に接続された、キーボード、マウス、モニタ、ＣＤ／ＤＶＤ（Compact Disk/Digital Versatile Disk）ドライブ等のＩ／Ｏ（Input/Output Device）３００７、ＨＤＤ（Hard Disk Drive）３００８、ＮＩＣ（Network Interface Card）３００９、モニタ３０１０、キーボード３０１１、マウス３０１２等を備えている。
【００５０】
＜動作＞
図５は上記の実施形態の処理例を示すシーケンス図である。
【００５１】
図５において、端末装置２Ａのテーマリスト表示・選択部２０３は、専用アプリケーション２０１による所定の画面の表示等に際して、作品作成支援サーバ装置３に対してテーマリスト要求を行う（ステップＳ１０１）。これを受け、作品作成支援サーバ装置３のテーマ管理部３４は、テーマＤＢ３０２からテーマのデータの一部を取得し、端末装置２Ａに返送する（ステップＳ１０２）。端末装置２Ａのテーマリスト表示・選択部２０３は、テーマリストを選択可能に表示する（ステップＳ１０３）。
【００５２】
図６（ａ）は「テーマを選ぶ」画面の例を示しており、複数のテーマが選択可能に表示されている。この状態で「詳細」ボタンをタップすると図６（ｂ）の「テーマ詳細」画面に遷移し、テンポ、拍子、句数、コンセプト、句毎詳細等が表示される。図６（ａ）の画面でいずれかのテーマをタップして「選択」ボタンをタップするか、（ｂ）の画面で「選択」ボタンをタップすることでテーマの選択が行われる。
【００５３】
図５に戻り、端末装置２Ａのユーザがテーマリストからテーマの選択を行うと（ステップＳ１０４）、テーマリスト表示・選択部２０３は作品作成支援サーバ装置３に対してテーマを特定してテーマ内容要求を行う（ステップＳ１０５）。これを受け、作品作成支援サーバ装置３のテーマ管理部３４は、テーマＤＢ３０２からテーマの詳細データを取得し、端末装置２Ａに返送する（ステップＳ１０６）。端末装置２Ａの句入力・編集部２０４は、第１句を表示する（ステップＳ１０７）。
【００５４】
図７は句の入力を行う画面の例を示す図であり、欄２２において句を構成する文字枠に文字を入力していく。この際、欄２１には入力している文字列１行分の音階が同時に表示される。
【００５５】
図５に戻り、端末装置２Ａの句入力・編集部２０４は、第１句についてユーザから全ての文字列の入力を受け付けると（ステップＳ１０８）、アイテム管理部２１４は白短冊を句入力の代価として消費する（ステップＳ１０９）。
【００５６】
次いで、端末装置２Ａの句入力・編集部２０４は、第２句を表示する（ステップＳ１１０）。
【００５７】
ここで、ユーザは、第２句については自分で入力せず、他のユーザに作成を依頼するものとする。この場合、端末装置２Ａの句作成依頼部２０５は、ユーザから第２句の作成依頼を依頼手法（電子掲示板からユーザを募る、ランダムに選ばれたユーザに依頼する、ユーザの指定する友達のユーザに依頼する）とともに受け付けると（ステップＳ１１１）、第２句の作成依頼を途中作品内容（第１句の内容等）とともに作品作成支援サーバ装置３に送信する（ステップＳ１１２）。なお、途中作品内容を作品作成支援サーバ装置３側でも同期して管理している場合には、作成依頼のみでよい。
【００５８】
これを受け、作品作成支援サーバ装置３の作成依頼管理部３５は、依頼手法が電子掲示板からユーザを募るものである場合は、第２句の作成依頼を電子掲示板に掲載し（ステップＳ１１３）、依頼手法がランダムに選ばれたユーザに依頼するか、ユーザの指定する友達のユーザに依頼するものである場合は、該当するユーザに第２句の作成依頼を通知する（ステップＳ１１４）。
【００５９】
これに対し、端末装置２Ｂの句作成依頼部２０５が作品作成支援サーバ装置３に対して要求して途中作品内容を取得し（ステップＳ１１５、Ｓ１１６）、その内容を表示し（ステップＳ１１７）、端末装置２Ｂのユーザから依頼引受を受け付けると（ステップＳ１１８）、端末装置２Ｂの句入力・編集部２０４は第２句を表示する（ステップＳ１１９）。
【００６０】
端末装置２Ｂの句入力・編集部２０４は、第２句についてユーザから全ての文字列の入力を受け付けると（ステップＳ１２０）、アイテム管理部２１４は白短冊を句入力の代価として消費する（ステップＳ１２１）。また、詠ポイント管理部２１１は依頼引受に対して端末装置２Ｂのユーザに詠ポイントを付与する（ステップＳ１２２）。
【００６１】
そして、端末装置２Ｂの句作成依頼部２０５は、第２句まで入力された途中作品内容を作品作成支援サーバ装置３に送信する（ステップＳ１２３）。作品作成支援サーバ装置３の作成依頼管理部３５は、端末装置２Ｂから受信した途中作品内容を端末装置２Ａに送信する（ステップＳ１２４）。
【００６２】
端末装置２Ａの依頼成果物採否部２０６は、受信した途中作品内容を表示し（ステップＳ１２５）、端末装置２Ａのユーザから他のユーザにより作成された第２句の採否を受け付ける（ステップＳ１２６）。採用された場合、次に続く句がある場合は、その作成に移行する。採用されなかった場合、再び第２句についての作成を行う。
【００６３】
これらの処理を繰り返し、最終句の入力が完了し、もしくは、最終句の採用が入力された場合（ステップＳ１２７）、歌が完成する。詠ポイント管理部２１１は歌の完成に対して端末装置２Ａのユーザに詠ポイントを付与する（ステップＳ１２８）。
【００６４】
なお、歌の完成前（句の入力途中）および完成後において、歌もしくは句の全体またはタイムラインに沿って編集を行うことができる。この際、図８に示すような編集アイテムを用いて種々の編集効果を付すことができる。また、図９に示すように、仮想空間内でキャラクタの写真撮影（実際の空間をカメラで撮影したものにキャラクタを重ねた上で写真撮影することも可能）を行い、その写真を歌もしくは句の全体またはタイムラインに沿って貼り付けることができる。貼り付けられた写真は、後述する動画共有サーバ装置４へのアップロード時の動画のスライドショーに用いられる。
【００６５】
図５に戻り、歌の完成により端末装置２Ａにおいて歌の歌唱が可能となり、完成作品歌唱部２０７は、ユーザから歌唱指示を受け付けると（ステップＳ１２９）、音声合成技術により、キャラクタにより仮想的に歌唱させ、その映像・音声を出力する（ステップＳ１３０）。図１０は女子高生キャラクタにより歌唱が行われている最中の画面例を示している。
【００６６】
図５に戻り、歌の完成により、同じアプリケーション（専用アプリケーション２０１）を使用する全ユーザが閲覧可能な電子掲示板に掲載することが可能となり、完成作品披露部２０８は、ユーザから披露指示を受け付けると（ステップＳ１３１）、作品作成支援サーバ装置３に対して披露要求を行う（ステップＳ１３２）。作品作成支援サーバ装置３側に完成作品内容が保持されていない場合は、完成作品内容も併せて送信する。
【００６７】
これを受け、作品作成支援サーバ装置３の完成作品管理部３６は、作品ＤＢ３０３に保管された該当する完成作品あるいは送信された完成作品内容を、電子掲示板から閲覧可能な状態に掲載する（ステップＳ１３３）。完成作品管理部３６は、電子掲示板に掲載された完成作品について、他のユーザからの評価を受け付け（ステップＳ１３４）、評価値が所定値に達した場合に投稿チケットを該当するユーザの端末装置２Ａに送信する（ステップＳ１３５）。
【００６８】
上述した処理例では、既存のテーマに基づいて歌を作成する場合について説明したが、以下ではユーザが新規のテーマ（ユーザオリジナルテーマ）を作成する処理について説明する。
【００６９】
図１１において、端末装置２Ａのテーマ作成部２１０は、ユーザからテーマ作成要求を受け付けると（ステップＳ２０１）、テーマ作成のための画面を表示する（ステップＳ２０２）。図１２は新規テーマの作成を行う画面の例を示す図であり、テーマ、テンポ、句数、拍子、コンセプト、句毎の文字列数を入力（選択）することができる。また、図１２の各句の右側の詳細ボタン（右向きの三角）をタップすることで、１句の文字数構成を５７５から、５５や７７といった別の文字数構成に切り替えることができ、また、図１２の画面下部にある「作成」ボタンをタップすることで、図１３に示すように、第一句目から文字の順番に音階（ノート）を入力することができる。
【００７０】
図１１に戻り、端末装置２Ａのテーマ作成部２１０がユーザからテーマ作成の完了の操作を受け付けると（ステップＳ２０３）、アイテム管理部２１４は赤短冊をテーマ作成の代価として消費する（ステップＳ２０４）。
【００７１】
そして、端末装置２Ａのテーマ作成部２１０は、テーマ内容を伴って登録要求を作品作成支援サーバ装置３に対して送信する（ステップＳ２０５）。これを受け、作品作成支援サーバ装置３のテーマ管理部３４は、新規テーマをテーマＤＢ３０２に追加登録する（ステップＳ２０６）。追加登録されたテーマは、図５において説明した処理により、選択対象となり、句の入力が可能となる。
【００７２】
次に、投稿チケットを入手したユーザが完成作品を動画共有サーバ装置４に投稿する処理について説明する。
【００７３】
図１４において、端末装置２Ａの完成作品投稿部２０９は、ユーザから完成作品の投稿要求を受け付けると（ステップＳ３０１）、投稿チケットを伴って投稿要求を作品作成支援サーバ装置３に対して送信する（ステップＳ３０２）。投稿される完成作品内容は、音声合成により歌唱された音声と、貼り付けられた写真によるスライドショーの動画からなるものである。
【００７４】
これを受け、作品作成支援サーバ装置３の完成作品投稿部３７は、動画共有サーバ装置４に対して投稿要求を行ない（ステップＳ３０３）、動画共有サーバ装置４はＩＤとＰＷ（Pass Word）の要求を返送する（ステップＳ３０４）。作品作成支援サーバ装置３の完成作品投稿部３７は、ＩＤとＰＷの要求を端末装置２Ａに転送する（ステップＳ３０５）。
【００７５】
端末装置２Ａの完成作品投稿部２０９は、ユーザからＩＤとＰＷの入力を受け付けると（ステップＳ３０６）、作品作成支援サーバ装置３に転送し（ステップＳ３０７）、作品作成支援サーバ装置３の完成作品投稿部３７は動画共有サーバ装置４に転送する（ステップＳ３０８）。なお、いったんユーザから入力されたＩＤとＰＷは作品作成支援サーバ装置３のユーザＤＢ３０１に保持しておくことで、次回からの投稿に際しては入力を省略することができる。
【００７６】
ＩＤとＰＷが認証されて動画共有サーバ装置４からＯＫが返送されると（ステップＳ３０９）、作品作成支援サーバ装置３の完成作品投稿部３７は、完成作品内容と検索用のタグを伴った投稿要求を動画共有サーバ装置４に対して送信する（ステップＳ３１０）。
【００７７】
動画共有サーバ装置４は受信した完成作品内容を閲覧可能な状態に掲示し（ステップＳ３１１）、ＯＫを返送する（ステップＳ３１２）。
【００７８】
作品作成支援サーバ装置３の完成作品投稿部３７は、端末装置２ＡにＯＫを返送し（ステップＳ３１３）、テーマ作成部２１０は歌の投稿に対して端末装置２Ａのユーザに詠ポイントを付与する（ステップＳ３１４）。
【００７９】
＜総括＞
以上説明したように、本実施形態によれば、ソーシャルネットワーク等のネットワークにより結びついたユーザと容易に共同作業を行って作品の作成を行うことができる。
【００８０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００８１】
１                  ネットワーク
２、２Ａ、２Ｂ      端末装置
２０１              専用アプリケーション
２０２              キャラクタイベント部
２０３              テーマリスト表示・選択部
２０４              句入力・編集部
２０５              句作成依頼部
２０６              依頼成果物採否部
２０７              完成作品歌唱部
２０８              完成作品披露部
２０９              完成作品投稿部
２１０              テーマ作成部
２１１              詠ポイント管理部
２１２              詠人ランク管理部
２１３              フクビキ部
２１４              アイテム管理部
３                  作品作成支援サーバ装置
３１                ユーザ管理部
３２                アイテム発行部
３３                詠ポイント付与部
３４                テーマ管理部
３５                作成依頼管理部
３６                完成作品管理部
３７                完成作品投稿部
３０１              ユーザＤＢ
３０２              テーマＤＢ
３０３              作品ＤＢ
４                  動画共有サーバ装置
【図１】
2015005133.tif 000003
【図２】
2015005133.tif 000004
【図３】
2015005133.tif 000005
【図４】
2015005133.tif 000006
【図５】
2015005133.tif 000007
【図６】
2015005133.tif 000008
【図１１】
2015005133.tif 000009
【図１２】
2015005133.tif 000010
【図１４】
2015005133.tif 000011
【図７】
2015005133.tif 000012
【図８】
2015005133.tif 000013
【図９】
2015005133.tif 000014
【図１０】
2015005133.tif 000015
【図１３】
2015005133.tif 000016